(57)【要約】【課題】遊技部品の交換・修理作業を容易に行うことができ、再利用性に優れる遊技機を提供する。【解決手段】特別図柄始動手段１６（遊技部品）がネジ６８ａにより取り付けられる遊技盤１１を備える遊技機において、特別図柄始動手段１６は、ネジ６８ａが挿入される貫通孔４４ａを備え、遊技盤１１は、特別図柄始動手段１６を取り付けるために当該特別図柄始動手段１６の貫通孔４４ａに挿入されたネジ６８ａが螺入される下孔３０を備え、下孔３０は、特別図柄始動手段１６が遊技盤１１にネジ止めされた状態において、ネジ６８ａが螺合する螺合部３１と、当該ネジ６８ａが螺合していない非螺合部３２と、を備え、非螺合部３２はその奥行きがネジ６８ａのピッチ幅よりも長いとしている。【選択図】図５
2014073247.tif 000002
【特許請求の範囲】
【請求項１】
遊技部品がネジにより取り付けられる被対象部品を備える遊技機において、前記遊技部品は、ネジが挿入される貫通孔を備え、前記被対象部品は、前記遊技部品を取り付けるために当該遊技部品の前記貫通孔に挿入されたネジが螺入されるネジ孔部を備え、前記ネジ孔部は、前記遊技部品が前記被対象部品にネジ止めされた状態において、前記ネジが螺合する螺合部と、当該ネジが螺合していない非螺合部とを備え、前記非螺合部はその奥行きが前記ネジのピッチ幅よりも長いことを特徴とする遊技機。
【請求項２】
前記ネジ孔部は、前記被対象部品における前記遊技部品の貫通孔に対応する箇所に貫通形成され且つ前記ネジの外径よりも小さい孔径の下孔部であることを特徴とする請求項１に記載の遊技機。
【請求項３】
前記非螺合部は、その奥行きが前記螺合部よりも長いことを特徴とする請求項２に記載の遊技機。
【請求項４】
前記遊技部品を位置決めするための位置決め部が、前記下孔部の近傍箇所に形成されていることを特徴とする請求項１〜３の何れかに記載の遊技機。
【請求項５】
前記遊技部品は、前記ネジの前記被対象部品への螺合位置に関わるスペーサ部材を有する状態と、当該スペーサ部材を有さない状態との両状態において前記被遊技部品にネジ止め可能であることを特徴とする請求項１〜４の何れかに記載の遊技機。
【発明の詳細な説明】
【技術分野】
【０００１】
本発明は、パチンコ機等の遊技機に関するものである。
【背景技術】
【０００２】
パチンコ機等の遊技機では、遊技領域を有し且つ例えば合板又は透明樹脂板で形成される遊技盤が配設される本体枠と、この本体枠の前側で開閉可能で且つ遊技領域が視認可能な視認窓を有する前面枠とを備え、遊技盤の遊技領域に各種の遊技部品（センターケース、始動入賞手段、大入賞手段など）が例えばタッピンネジによりそれぞれネジ止めされている。また、スピーカ装置が前面枠の下部箇所に例えばタッピンネジによりネジ止めされているものもある（特許文献１）。
【先行技術文献】
【特許文献】
【０００３】
【特許文献１】特開２００６−２７１６０４号公報
【発明の概要】
【発明が解決しようとする課題】
【０００４】
しかしながら、遊技盤にネジ止めされた遊技部品（センターケース、始動入賞手段等）を交換修理する場合、遊技盤背面の取付台にネジ止めされた遊技部品（例えば、主制御基板ユニット等の各種の制御基板ユニット）を交換修理する場合、又は遊技盤の再利用などのために遊技部品を交換する場合において、一度ネジ止めして穴が開いた遊技盤箇所に再びネジ止めをしようとしても、該穴が広がってしまい、しっかりと固定することができない場合や、該穴がバカ穴になってしまい取り付け不能となる場合がある。この場合には、再度ネジ穴を形成するなどの加工が必要となり、遊技部品の交換・修理作業に手間がかかるという問題がある。また、再度のネジ穴が形成できない場合には遊技部品を遊技盤にネジ止めできないため、その遊技盤が使用できなくなり、再利用性の改善が求められる。
【０００５】
本発明は、上記事情に鑑みてなされたものであり、遊技部品の交換・修理作業を容易に行うことができ、再利用性に優れる遊技機を提供することを目的とする。
【課題を解決するための手段】
【０００６】
本発明は、遊技部品１６がネジ６８ａにより取り付けられる被対象部品１１を備える遊技機において、前記遊技部品１６は、ネジ６８ａが挿入される貫通孔４４ａを備え、前記被対象部品１１は、前記遊技部品１６を取り付けるために当該遊技部品１６の前記貫通孔４４ａに挿入されたネジ６８ａが螺入されるネジ孔部３０を備え、前記ネジ孔部３０は、前記遊技部品１６が前記被対象部品１１にネジ止めされた状態において、前記ネジ６８ａが螺合する螺合部３１と、当該ネジ６８ａが螺合していない非螺合部３２とを備え、前記非螺合部３２はその奥行きが前記ネジ６８ａのピッチ幅よりも長いとするものである。
【０００７】
なお、被対象部品１１としては、例えば、遊技盤１１、遊技盤１１の背後部品（球集合枠、液晶装着枠、制御基板ユニット取付枠、カバーユニットなど）、前面枠４，５、内枠３などが挙げられる。また、遊技部品１６としては、遊技盤１１の前側にネジ止めされる遊技盤用部品（センターケース１４、始動入賞手段１５，１６、大入賞手段１７、ガイドレール１２、普通図柄表示手段２７、特別図柄表示手段２８、普通保留個数表示手段２９など遊技盤１１に取り付けられる各種の装置、部品など）、遊技盤１１の背後部品（球集合枠、液晶装着枠、制御基板ユニット取付枠など）、又は遊技盤１１の背側でネジ止める遊技ユニット部品（例えば、主制御基板ユニット、副制御基板ユニットなどの各種の制御基板ユニット）などが挙げられる。
【０００８】
また、前記ネジ孔部３０は、前記被対象部品１１における前記遊技部品１６の貫通孔４４ａに対応する箇所に貫通形成され且つ前記ネジ６８ａの外径よりも小さい孔径の下孔部３０であるとしてもよい。また、前記非螺合部３２は、その奥行きが前記螺合部３１よりも長いとしてもよい。
【０００９】
また、前記遊技部品１６を位置決めするための位置決め部３３，３４が、前記下孔部３０の近傍箇所に形成されているとしてもよい。
【００１０】
また、前記遊技部品１６は、前記ネジ６８ａの前記被対象部品１１への螺合位置に関わるスペーサ部材９１，９５，９８を有する状態と、当該スペーサ部材９１，９５，９８を有さない状態との両状態において前記被遊技部品１６にネジ止め可能であるとしてもよい。
【００１１】
なお、前記スペーサ部材９１は、前記遊技部品１６において前記貫通孔４４ａを含む箇所に形成された被装着部９２に装着可能であるとともに、前記被装着部９２に装着された状態において前記貫通孔４４ａと同一軸心であり且つ前記ネジ６８ａが挿入される挿入部９３を備えており、前記被装着部９２は、前記貫通孔４４ａと、当該貫通孔４４ａの前記ネジ６８ａの挿入側に形成された座繰り部４４ｂとを備える構成としてもよい。
【００１２】
また、前記スペーサ部材９５は、前記遊技部品１６において前記被対象部品１１と対向する側に形成された被配設部９６に配設可能であるとともに、前記被配設部９６に配設された状態において前記貫通孔４４ａと同一軸心であり且つ前記ネジ６８ａが挿入される挿入部９７を備える構成としてもよい。
【００１３】
また、前記スペーサ部材９８は、連結部４４ｃを介して前記遊技部品１６に連結されており、当該連結部４４ｃを切断することで当該遊技部品１６から分離可能となる構成としてもよい。
【発明の効果】
【００１４】
本発明によれば、遊技部品の交換・修理作業を容易に行うことができ、再利用性に優れる遊技機を提供することができる。
【図面の簡単な説明】
【００１５】
【図１】本発明の第１の実施形態を示すパチンコ機の斜視図である。
【図２】同パチンコ機の正面図である。
【図３】同じくパチンコ機の特別図柄始動手段箇所の正面図である。
【図４】同じく特別図柄始動手段箇所のＡ−Ａ線断面図である。
【図５】特別図柄始動手段の前飾りのネジ止めを説明するための拡大断面図である。
【図６】（ａ）は遊技盤のネジ孔の非螺合部がネジピッチよりも長いこと示す要部断面図、（ｂ）は長いネジに替えてネジ止めしたこと示す要部断面図である。
【図７】（ａ）は遊技盤のネジ孔の非螺合部が螺合部よりも長いこと示す要部断面図、（ｂ）は倍の長さのネジに替えてネジ止めしたこと示す要部断面図、（ｃ）は短いネジから順番に使用すること示す要部断面図である。
【図８】変形例の特別図柄始動手段箇所の正面図である。
【図９】（ａ）はスペーサ部材を介した状態で前飾りをネジ止めした要部断面図、（ｂ）はスペーサ部材を取り外した状態で前飾りをネジ止めした要部断面図である。
【図１０】（ａ）は変形例のスペーサ部材を介した状態で前飾りをネジ止めした要部断面図、（ｂ）はスペーサ部材を取り外した状態で前飾りをネジ止めした要部断面図である。
【図１１】（ａ）、（ｂ）は変形例の特別図柄始動手段の連結部で連結されたスペーサ部材箇所の正面図及び断面図、（ｃ）、（ｄ）はその連結部が切断された場合の正面図及び断面図である。
【発明を実施するための形態】
【００１６】
以下、本発明の実施形態を図面に基づいて詳述する。図１〜図６は本発明をパチンコ機に採用した一実施形態を例示している。図１において、遊技機１は、矩形状の外枠２と、この外枠２の前側に開閉自在に枢着された前枠３とを備えている。前枠３の前側には、ガラス扉４と前面板５とが上下に配置され、このガラス扉４と前面板５とが前枠３に開閉自在に枢支されている。
【００１７】
前面板５には、その前側に、発射手段（図示省略）に供給するための遊技球を貯留する貯留皿６、発射手段を作動させるための発射ハンドル７等が設けられている。
【００１８】
ガラス扉４に設けられた窓孔８には例えば２枚のガラス板９（透明板）が嵌め込まれ、その後側には図２に示す遊技盤１１が前枠３に対して例えば前側から着脱自在に装着されている。遊技盤１１（被対象部品）の前面側には、発射手段から発射された遊技球を案内するガイドレール１２が環状に装着されると共に、そのガイドレール１２の内側の遊技領域１３に、センターケース１４（配設体）、普通図柄始動手段１５、特別図柄始動手段１６（遊技部品）、大入賞手段１７、普通入賞手段１８等の各種遊技部品が配置されている。なお、ガラス扉４の閉状態では、ガラス板９は、遊技盤１１の遊技領域１３に対して遊技球が流下可能な間隔（遊技球の直径よりも大きく遊技球２個分よりも小さい間隔）を空けて位置している。
【００１９】
センターケース１４は、図２に示すように、遊技盤１１の前後方向に開口した装着孔１１ａ（開口部）に対して前側から着脱自在に装着される前構造体２１（前構成体）と、液晶式その他の画像表示手段２２が装着され且つ前構造体２１に対応して遊技盤１１の裏側に着脱自在に装着される図示省略の後構造体（後構成体）とを備えている。
【００２０】
前構造体２１は、図２に示すように、装着孔１１ａに沿って配置される環状の装飾枠２４と、この装飾枠２４の下部側に沿って左右方向に配置され且つ入球口２５に入球してワープ通路２５ａを通って案内された遊技球を自由に転動させて前側に落下させるステージ２６とを備え、装飾枠２４上に、普通図柄表示手段２７、特別図柄表示手段２８、普通保留個数表示手段２９等が設けられている。なお、普通図柄表示手段２７、特別図柄表示手段２８又は普通保留個数表示手段２９の少なくとも一つを、装飾枠２４ではなく、画像表示手段２２において画像表示するようにしても良いし、遊技領域１３外の所定箇所に設けるようにしても良い。
【００２１】
また、画像表示手段２２は、演出図柄表示手段３５と特別保留個数表示手段３６とを備えている。この特別保留個数表示手段３６を装飾枠２４に設けるようにしても良いし、遊技領域１３外の所定箇所に設けるようにしても良い。
【００２２】
画像表示手段２２は、図２に示すように、センターケース１４の視認開口部、つまり前構造体２１の正面視で中央箇所に形成された開口部２１ａを介して、表示画面２２ａが視認可能に配設されている。
【００２３】
ところで、図２に示すように、普通図柄表示手段２７は、普通図柄を変動表示するためのもので、例えば「○」「×」の２種類の普通図柄に対応する２個の発光体（例えばＬＥＤ）により構成されており、通過ゲート等よりなる普通図柄始動手段１５が遊技球を検出することを条件にそれら２つの発光体が所定時間交互に点滅して、普通図柄始動手段１５による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００２４】
また、普通図柄表示手段２７の変動表示中、又は後述する普通利益状態中に普通図柄始動手段１５が遊技球を検出した場合には、その検出時に取得された当たり判定乱数値が予め定められた上限保留個数、例えば４個を限度として記憶されると共に、例えば上限保留個数と同数の発光体よりなる普通保留個数表示手段２９がその発光個数により当たり判定乱数値の記憶個数（以下、普通保留個数という）を表示して、その時点での普通保留個数を遊技者に報知するようになっている。
【００２５】
特別図柄始動手段１６は、特別図柄表示手段２８による図柄変動を開始させるためのもので、例えば上下２つの特別始動口１６ａ，１６ｂを備え、センターケース１４の下側等に配置されている。上側の特別始動口１６ａは開閉手段等を有しない非作動式入賞口、下側の特別始動口１６ｂは開閉羽根３８により開閉可能な作動式入賞口で、普通図柄表示手段２７の変動後の停止図柄が当たり態様となって普通利益状態が発生したときに、開閉羽根３８が所定時間、所定回数だけ閉状態から開状態に変化するように構成されている。
【００２６】
特別図柄表示手段２８は、１個又は複数個、例えば１個の特別図柄（遊技図柄）を変動表示可能な７セグメント式等の表示手段により構成されており、特別図柄始動手段１６の特別始動口１６ａ，１６ｂの何れかに遊技球が入賞することを条件に特別図柄を所定時間変動表示して、特別始動口１６ａ，１６ｂへの入賞時に取得された大当たり判定乱数値が予め定められた大当たり判定値と一致する場合には所定の大当たり態様で、それ以外の場合には外れ態様で停止するようになっている。
【００２７】
特別図柄には、例えば大当たり態様及び外れ態様が夫々１又は複数種類ずつ設けられている。なお、それら各態様には夫々数字図柄等を割り当ててもよいし、遊技者がその特別図柄の種類を容易に区別できないように、任意の線や点の組み合わせのような特別な意味を持たない図柄を割り当ててもよい。
【００２８】
また、特別図柄の変動表示中、又は後述する特別利益状態中に特別始動口１６ａ，１６ｂに遊技球が入賞した場合には、その入賞時に取得された大当たり判定乱数値等が夫々所定の上限保留個数、例えば各４個を限度として記憶されると共に、特別保留個数表示手段３６が大当たり判定乱数値の記憶個数  （以下、特別保留個数という）を表示して、その時点での特別保留個数を遊技者に報知するようになっている。
【００２９】
演出図柄表示手段３５は、例えば特別図柄表示手段２８による特別図柄の変動表示と並行して演出図柄を変動表示するもので、１個又は複数個、例えば左右方向に３個の演出図柄を例えば各種の演出画像と共に画像表示手段２２の表示画面２２ａに変動表示可能に構成されており、特別図柄始動手段１６の特別始動口１６ａ，１６ｂの何れかに遊技球が入賞することを条件に特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。
【００３０】
特別保留個数表示手段３６は、特別保留個数を報知するもので、表示画面２２ａ上の所定箇所に特別保留個数分のシンボルを表示するようになっている。
【００３１】
大入賞手段１７は、遊技球が入賞可能な開状態と入賞不可能な閉状態とに切り換え可能な開閉板３９を備えた作動式入賞手段で、特別図柄表示手段２８の変動後の特別図柄が大当たり態様となることに基づいて特別利益状態が発生したときに、開閉板３９が所定の開放パターンに従って前側に開放して、その上に落下した遊技球を内部へと入賞させるようになっている。
【００３２】
また、前構造体２１は、図２に示すように、そのステージ２６の奥側端部箇所に透明薄板状の透明区画部材４０が位置するように取り付けられている。この透明区画部材４０は、ステージ２６を転動する遊技球が当該ステージ２６よりも奥側に進入することを阻止するように当該ステージ２６とそれよりも奥側とを区画するものである。つまり、透明区画部材４０は、ステージ２６を転動する遊技球が当該ステージ２６よりも奥側に進入することを阻止するようにステージ２６とその奥側とを区画している。
【００３３】
ここで、特別図柄始動手段１６について、図３〜図５を用いてもう少し詳細に説明する。特別図柄始動手段１６は、図３〜図５に示すように、遊技盤１１の前面に当接する前部材４２と、遊技盤１１の特別図柄始動手段１６に対応する箇所に例えばルーター加工により形成された装着孔４５（図４、図５参照）を介して前部材４２に相対応して遊技盤１１の裏側から取り付けられる後部材４３（図４、図５参照）とを備えている。
【００３４】
前部材４２は、遊技盤１１に前側から装着される前飾り体４４を備えている。この前飾り体４４は、特別始動口１６ａ，１６ｂの周辺を飾る板状の第１前飾り部６６を備え、この第１前飾り部６６に、特別始動口１６ａ，１６ｂが上下に配設されている。
【００３５】
後部材４３は、装着孔４５よりも外周に拡がる裏ケース４６を備え、この裏ケース４６に特別図柄始動手段１６の後部機構４７が収容され、また前飾り体４４と裏ケース４６との間には、特別図柄始動手段１６の中間機構４８が遊技盤１１の装着孔４５内に設けられている。
【００３６】
前飾り体４４は、図３、図５に示すように、その左右両側箇所に前後方向に貫通し且つネジ６８ａ  （例えば皿ネジ）が挿入可能な貫通孔４４ａをそれぞれ備えている。この貫通孔４４ａは、ネジ６８ａの挿入側に当該ネジ６８ａのための皿座繰りが形成されている。また、遊技盤１１は、図５に示すように、前飾り体４４の貫通孔４４ａに対応する箇所に、ネジ６８ａの外径よりも小さい孔径の下孔３０  （ネジ孔部、下孔部）が貫通形成されている。前飾り体４４は、図３、図５に示すように、遊技盤１１の前面に当接させた状態で貫通孔４４ａにネジ６８ａを挿入し、このネジ６８ａを遊技盤１１の下孔３０に螺入していくことで遊技盤１１に装着されている。
【００３７】
前飾り体４４は、図５に示すように、その背面での所定箇所（例えば、特別始動口１６ａの両外側の２箇所（左外側、右外側の２箇所）と、各貫通孔４４ａの近傍下側箇所の合計４箇所）に突出する位置決めピン３３を備えている。この位置決めピン３３は、１つとしてもよいし、２つ以上としてもよく、横並び、縦並び、斜め並び又は対角線上などに配設してもよい。例えば、特別始動口１６ａの両外側の２箇所のみとしたり、各貫通孔４４ａの近傍箇所のみとしたり、特別始動口１６ａの両外側のうちの１箇所及び一方の貫通孔４４ａの近傍箇所のみとしたりしてもよい。また、遊技盤１１における前飾り体４４の位置決めピン３３に対応する箇所に、位置決めピン３３が挿入されるピン穴３４（位置決め部）が形成されている。
【００３８】
なお、裏ケース４６は、その前面が遊技盤１１の裏面に近接又は当接して当該遊技盤１１に図示省略の固定手段により固定（例えばネジ止め）されている。
【００３９】
特別図柄始動手段１６は、図４に示すように、特別始動口１６ａ，１６ｂに入球した遊技球を後方へ案内する第１，第２案内通路４９，５０と、この第１・第２案内通路４９，５０からの遊技球を遊技盤１１の裏側で下側へと案内する第１・第２球経路５１，５２と、開閉羽根３８を開閉駆動する第１駆動手段５４と、特別始動口１６ａ，１６ｂに入賞した遊技球を検出する第１・第２検出スイッチ５５，５６とを備えている。この第１・第２検出スイッチ５５，５６は、第１・第２球経路５１，５２にそれぞれ配設されている。
【００４０】
また後部機構４７は第１・第２球経路５１，５２、第１・第２検出スイッチ５５，５６、第１駆動手段５４等により構成され、中間機構４８は第１・第２案内通路４９，５０等により構成されている。
【００４１】
第１駆動手段５４は、図４に示すように、下向きに突出するプランジャー８６ａを備えた第１ソレノイド８６により構成されている。第１ソレノイド８６は前ケース体７７の裏面の位置決め部（図示省略）により位置決めされ、且つ前ケース体７７，後ケース体７８により前後両側から挟持されて固定されている。
【００４２】
特別図柄始動手段１６の第１ソレノイド８６と開閉羽根３８は、図４に示すように、第１連動体８８、第１連動アーム８９を介して連動しており、第１ソレノイド８６が励磁したきにプランジャー８６ａが上昇して開閉羽根３８が特別始動口１６ｂを開放し、第１ソレノイド８６が消磁したときに戻しバネによりプランジャー８６ａが下降して開閉羽根３８が特別始動口１６ｂを閉じるようになっている。
【００４３】
特別図柄始動手段１６側の第１連動アーム８９は、図４に示すように、左右の開閉羽根３８に対応して第２案内通路５０、第２球経路５２の左右両側に前後方向に配置され、後部側の軸部８９ａが左右の経路壁５２ｂの軸受部５２ｃにより上下揺動自在に枢支されている。左右の第１連動アーム８９は前端側に係合部８９ｂを有し、この係合部８９ｂが第１飾り部６９の通孔６９ｂを経て後方に突出する各開閉羽根３８の偏心ピン３８ａに係合している。左右の第１連動アーム８９は後端側の左右方向の棒状の連結部８９ｃにより連結され、またその一方の第１連動アーム８９に、プランジャー８６ａの下端の第１連動体８８に係合する突起８９ｄが設けられている。
【００４４】
なお、軸部８９ａは各第１連動アーム８９から内側に突出しており、連結部８９ｃを弾性変形させることにより軸受部５２ｃに左右両側から挿入されている。また後ケース体７８には、第２球経路５２の上端を塞ぐ蓋部５２ｄが前側に突出して設けられ、蓋部５２ｄの前端の左右両側に軸受部５２ｃ内の軸部８９ａを第１連動アーム８９の近傍で裏側から押える押え部５２ｅが設けられている。
【００４５】
ここで特別図柄始動手段１６の遊技盤１１への取り付け手順について図５を用いて説明する。まず、特別図柄始動手段１６の裏ケース４６を、その前面が遊技盤１１の裏面に近接又は当接させた状態とし、遊技盤１１に図示省略の固定手段により固定（例えばネジ止め）させる。
【００４６】
続いて、特別図柄始動手段１６の前飾り体４４の位置決めピン３３を遊技盤１１のピン穴３４に挿入して、この前飾り体４４を遊技盤１１の前面に当接させる。そしてこの状態で前飾り体４４の貫通穴にネジ６８ａを挿入し、このネジ６８ａを遊技盤１１の下穴に螺入させて、前飾り体４４を遊技盤１１にネジ止めする。こうすることで特別図柄始動手段１６の遊技盤１１の取り付けが完了する。
【００４７】
特別図柄始動手段１６の当初のネジ止め状態では、遊技盤１１の下孔３０は、図６（ａ）に示すように、ネジ６８ａが螺入される螺合部３１と、このネジ６８ａが螺入されていない非螺合部３２（余り部）とを備え、非螺合部３２はその奥行きがネジ６８ａのピッチ幅（ネジ山からネジ山までの距離）よりも長くなっている。
【００４８】
なおここで、特別図柄始動手段１６を例えば交換する場合について説明する。まず、ガラス扉４及び前面板５を前枠３に対して開放させた状態とし、前枠３から前側に遊技盤１１を取り外す。
【００４９】
続いて、特別図柄始動手段１６の前飾り体４４のネジ６８ａを緩めて当該前飾り体４４を遊技盤１１から取り外す。また、特別図柄始動手段１６の裏ケース４６を固定する固定手段（図示省略）を解除  （ネジ止めを解除）して、この裏ケース４６を遊技盤１１から取り外す。
【００５０】
そして、新たな特別図柄始動手段１６を遊技盤１１に取り付ける。具体的には、新たな特別図柄始動手段１６の裏ケース４６を遊技盤１１の背面に固定手段（図示省略）により固定し、新たな特別図柄始動手段１６の前飾り体４４を遊技盤１１の前面にネジ止めする。取り外したネジ６８ａを用いて新たな前飾り体４４をネジ止めする際に、遊技盤１１の下孔３０の螺合部３１が広がってしまい、しっかりと固定することができない場合や、当該下孔３０の螺合部３１がバカ穴になってしまい取り付け不能となった場合には、取り外したネジ６８ａよりも長いネジ６８ｂを使用する。
【００５１】
図６（ｂ）に示すように、長いネジ６８ｂを下孔３０に螺入することで、図６（ａ）の非螺合部３２に新たに螺合部３１を形成することができ、前飾り体４４を遊技盤１１にしっかりとネジ止めすることができる。
【００５２】
なお、図７（ａ）に示すように、遊技盤１１の下孔３０の非螺合部３２が螺合部３１よりも長いとしてもよい。この場合には、非螺合部３２は螺合部３１よりも奥行きが長いので、図７（ｂ）に示すように、先に使用していたネジ６８ｃの倍以上の長さのネジ６８ｄを使用でき、当該新たなネジの螺入により非螺合部３２に雌ネジが新たに形成された新たな螺合部３１で特別図柄始動手段１６を遊技盤１１にしっかりとネジ止めすることができる。また、図７（ｃ）に示すように、先に使用したネジ６８ｃよりも長く遊技盤１１の下孔３０以下のものであって長さの異なる複数のネジ６８ｅ１〜６８ｅｎのうち、短いものから順に使用する場合（つまり、ネジ６８ｅ１、ネジ６８ｅ２…ネジ６８ｅｎの順に使用する）には、その段階的使用の回数分にわたってネジ止めを行うことができ、特別図柄始動手段１６をその回数分交換することができる。
【００５３】
この実施形態では、特別図柄始動手段１６（遊技部品）がネジ６８ａにより取り付けられる遊技盤１１（被対象部品）を備える遊技機１（パチンコ機）において、特別図柄始動手段１６は、ネジ６８ａが挿入される貫通孔４４ａを備え、遊技盤１１は、特別図柄始動手段１６を取り付けるために当該特別図柄始動手段１６の貫通孔４４ａに挿入されたネジ６８ａが螺入される下孔３０を備え、下孔３０は、特別図柄始動手段１６が遊技盤１１にネジ止めされた状態において、ネジ６８ａが螺合する螺合部３１と、当該ネジ６８ａが螺合していない非螺合部３２と、を備え、非螺合部３２はその奥行きがネジ６８ａのピッチ幅よりも長いとしている。したがって、特別図柄始動手段１６が遊技盤１１にネジ止めされた状態では、当該遊技盤１１の下孔３０は、ネジ６８ａが螺合する螺合部３１と、そのネジ６８ａが螺合していない非螺合部３２とを備え、非螺合部３２はその奥行きがそのネジ６８ａのピッチ幅よりも長いので、遊技盤１１にネジ止めされた特別図柄始動手段１６を交換修理する場合、又は遊技盤１１の再利用などのために特別図柄始動手段１６を交換する場合において、遊技盤１１の一度ネジ止めして穴が開いたネジ止め箇所に再びネジ止めするときに、先に使用していたネジ６８ａよりも長いネジ６８ｂ、６８ｄ等を下孔３０の非螺合部３２に螺合させることで、特別図柄始動手段１６を遊技盤１１にしっかりとネジ止めすることができ、再度ネジ穴を形成するなどの加工を不必要にでき、特別図柄始動手段１６の交換・修理作業を容易に行うことができ、遊技盤１１の再利用性に優れる遊技機を提供することができる。
【００５４】
また、下孔３０は、遊技盤１１における特別図柄始動手段１６の貫通孔４４ａに対応する箇所に貫通形成され且つネジ６８ａの外径よりも小さい孔径の下孔３０であるとしているので、遊技盤１１に特別図柄始動手段１６をネジ止めする際に、ネジ６８ａが下孔３０の方向に案内されて当該下孔３０に螺入し易い。また、遊技盤１１の一度ネジ止めして穴が開いたネジ止め箇所に再びネジ止めするときに、先に使用していたネジ６８ａよりも長いネジ６８ｂを下孔３０の非螺合部３２に螺入させ易く、非螺合部３２に新たな螺合部３１を形成させ易い。
【００５５】
また、非螺合部３２は螺合部３１よりも奥行きが長いので、先に使用していたネジ６８ｃの倍以上の長さのネジ６８ｄを使用でき、当該新たなネジ６８ｄの螺入により雌ネジが新たに形成された新たな螺合部３１で特別図柄始動手段１６を遊技盤１１にしっかりとネジ止めすることができる。また、先に使用したネジ６８ｃよりも長く下孔３０以下のものであって長さの異なる複数のネジ６８ｅ１〜６８ｅｎのうち、短いものから順に使用する場合には、その段階的使用の回数分にわたってネジ止めを行うことができ、特別図柄始動手段１６をその回数分交換することができる。
【００５６】
また、特別図柄始動手段１６を位置決めするための位置決めピン３３が挿入されるピン穴３４（位置決め部）が、遊技盤１１の下孔３０の近傍箇所に形成されているので、特別図柄始動手段１６の再ネジ止めの場合でも、新たなネジ６８ｂの下孔３０への螺入によって非螺合部３２に新たな螺合部３１が形成され、当該ネジ６８ｂが新たな螺合部３１に螺合することができ、ネジ止めの近傍箇所のピン穴３４で位置決めされた特別図柄始動手段１６を遊技盤１１にしっかりネジ止めすることができる。
【００５７】
また、本実施形態では、特別図柄始動手段１６の裏ケース４６内に第１ソレノイド８６（電気部品）とその配線を配設し、特別図柄始動手段１６の前飾り体４４には電気部品（ソレノイドやＬＥＤ実装基板など）及びその配線などを配設する必要がないので、前飾り体４４については第１ソレノイド８６やその配線などを気にせずに単純に遊技盤１１に取り付けることができ、前飾り体４４を遊技盤１１から取り外して当該遊技盤１１の前側から特別図柄始動手段１６を目視確認したり部品交換を行ったりすることもできる。
【００５８】
図８、図９は本発明の第２の実施形態を例示する。この実施形態の特別図柄始動手段１６は、図８、図９に示すように、その貫通孔４４ａの箇所に、ネジ６８ａの遊技盤１１への螺合位置に関わるスペーサ部材９１を備えている点が前述した第１の実施形態と異なっている。
【００５９】
つまり、特別図柄始動手段１６は、スペーサ部材９１を有する状態（図９（ａ）参照）と、当該スペーサ部材９１を有さない状態（図９（ｂ）参照）との両状態において遊技盤１１にネジ止め可能となっている。
【００６０】
具体的には、スペーサ部材９１は、図８、図９に示すように、特別図柄始動手段１６において貫通孔４４ａの箇所に形成された円形に窪んだ凹部９２（被装着部）に装着可能な円柱状部材としている。また、このスペーサ部材９１は、特別図柄始動手段１６の凹部９２に装着された状態において貫通孔４４ａと同一軸心であり且つネジ６８ａが挿入される挿入孔９３（挿入部）を備えている。この挿入孔９３は、ネジ６８ａの挿入側に当該ネジ６８ａのための皿座繰り９３ａが形成されている。
【００６１】
また、特別図柄始動手段１６の凹部９２は、ネジ６８ａが挿入される貫通孔４４ａと、当該貫通孔４４ａのネジ６８ａの挿入側に形成された皿座繰り４４ｂ（座繰り部）とを備えている。
【００６２】
図８、図９（ａ）に示すように、特別図柄始動手段１６の前飾り体４４は、スペーサ部材９１を介して遊技盤１１にネジ止めされている。具体的には、特別図柄始動手段１６の前飾り体４４の凹部９２にスペーサ部材９１が装着された状態で、当該スペーサ部材９１の挿入孔９３にネジ６８ａが挿入されて遊技盤１１の下孔３０に螺入されている。この状態では、図９（ａ）に示すように、遊技盤１１の下孔３０は、ネジ６８ａが螺合する螺合部３１と、ネジ６８ａが螺合していない非螺合部３２とを備えている。
【００６３】
ここで、例えば特別図柄始動手段１６の確認のために、前飾り体４４のネジ６８ａを緩めて当該前飾り体４４を遊技盤１１から取り外した場合について説明する。なおここでは、特別図柄始動手段１６の確認後に前飾り体４４をネジ６８ａでネジ止めしようとしたが、遊技盤１１の下孔３０の螺合部３１が広がってしまい、しっかりと固定することができない、あるいは、当該下孔３０の螺合部３１がバカ穴になってしまい取り付け不能となっているとする。この場合には、スペーサ部材９１を凹部９２から取り外し、前飾り体４４の凹部９２の貫通孔４４ａにネジ６８ａを挿入し、このネジ６８ａにより前飾り体４４を遊技盤１１にネジ止めする。
【００６４】
具体的には、図９（ｂ）に示すように、スペーサ部材９１を前飾り体４４の凹部９２から取り外し、スペーサ部材９１が取り外された前飾り体４４を、その位置決めピン３３が遊技盤１１のピン穴３４に挿入させるようにして当該遊技盤１１の特別図柄始動手段１６箇所に当接させる。そして、その凹部９２の貫通孔４４ａにネジ６８ａを挿入し、そのネジ６８ａを遊技盤１１の下孔３０の非螺合部３２に螺入させて新たな螺合部３１に螺合させる。そうすることで、前飾り体４４を遊技盤１１にしっかりとネジ止めすることができる。
【００６５】
また、新たな前飾り体４４に交換する際に、遊技盤１１の螺合部３１が広がっているなどの場合には、新たな前飾り体４４の凹部９２のスペーサ部材９１を取り外してネジ６８ａでネジ止めすることができる。
【００６６】
また、本実施形態では、スペーサ部材９１が装着される凹部９２は、図９に示すように前飾り体４４の前方に突出しており、流下する遊技球が当たることがあるが、凹部９２は図８に示すように特別始動口１６ｂの両側で且つ開閉羽根３８よりも下側箇所に位置し、特別始動口１６ｂの下方にはアウト口しか存在していない（図２参照）ので、凹部９２に当たった遊技球が特別始動口１６ｂに入賞することはなく最終的にアウト口に回収されるようになっている。
【００６７】
図１０は本発明の第３の実施形態を例示する。この実施形態の特別図柄始動手段１６は、図１０に示すように、その背面側（遊技盤１１と当接する側）に、ネジ６８ａの遊技盤１１への螺合位置に関わるスペーサ部材９５を備えている点が前述した第２の実施形態と異なっている。
【００６８】
第３の実施形態の場合も、特別図柄始動手段１６は、スペーサ部材９５を有する状態（図１０（ａ）参照）と、当該スペーサ部材９５を有さない状態（図１０（ｂ）参照）との両状態において遊技盤１１にネジ止め可能となっている。
【００６９】
具体的には、スペーサ部材９５は、図１０に示すように、特別図柄始動手段１６において遊技盤１１と対向する側に形成された被配設部９６に配設可能な板状部材としている。また、このスペーサ部材９５は、特別図柄始動手段１６の背面側の被配設部９６に配設された状態において貫通孔４４ａと同一軸心であり且つネジ６８ａが挿入される挿入孔９７（挿入部）を備えている。この挿入孔９７は、ネジ６８ａの軸（雄ネジが形成されている部分）が挿入可能な径でそのネジ頭よりも径の小さい貫通孔としている。
【００７０】
図１０（ａ）に示すように、特別図柄始動手段１６の前飾り体４４は、スペーサ部材９５を介して遊技盤１１にネジ止めされている。具体的には、特別図柄始動手段１６の前飾り体４４の背面側にスペーサ部材９５が配設された状態で、前飾り体４４の貫通孔４４ａにネジ６８ａが挿入されて遊技盤１１の下孔３０に螺入されている。この状態では、図１０（ａ）に示すように、遊技盤１１の下孔３０は、ネジ６８ａが螺合する螺合部３１と、ネジ６８ａが螺合していない非螺合部３２とを備えている。
【００７１】
図１０に示すように、遊技盤１１のピン穴３４は、スペーサ部材９５を取り外した状態の前飾り体４４が遊技盤１１に当接する状態となるように、その位置決めピン３３が挿入可能な深さとしている。また、前飾り体４４の位置決めピン３３は、スペーサ部材９５が前飾り体４４の背面側に取り付けられた状態において当該スペーサ部材９５から突出し、遊技盤１１のピン穴３４に挿入可能な長さとしている。
【００７２】
ここで、例えば特別図柄始動手段１６の確認のために、前飾り体４４のネジ６８ａを緩めて当該前飾り体４４を遊技盤１１から取り外した場合について説明する。なおここでは、特別図柄始動手段１６の確認後に前飾り体４４をネジ６８ａでネジ止めしようとしたが、遊技盤１１の下孔３０の螺合部３１が広がってしまい、しっかりと固定することができない、あるいは、当該下孔３０の螺合部３１がバカ穴になってしまい取り付け不能となっているとする。この場合には、前飾り体４４の背面側のスペーサ部材９５を取り外し、その前飾り体４４の貫通孔４４ａにネジ６８ａを挿入し、このネジ６８ａにより前飾り体４４を遊技盤１１にネジ止めする。
【００７３】
具体的には、図１０（ｂ）に示すように、スペーサ部材９５を前飾り体４４の背面側から取り外し、スペーサ部材９５が取り外された前飾り体４４を、その位置決めピン３３が遊技盤１１のピン穴３４に挿入させるようにして当該遊技盤１１の特別図柄始動手段１６箇所に当接させる。そして、前飾り体４４の貫通孔４４ａにネジ６８ａを挿入し、そのネジ６８ａを遊技盤１１の下孔３０の非螺合部３２に螺入させて新たな螺合部３１に螺合させる。そうすることで、前飾り体４４を遊技盤１１にしっかりとネジ止めすることができる。
【００７４】
また、新たな前飾り体４４に交換する際に、遊技盤１１の螺合部３１が広がっているなどの場合には、新たな前飾り体４４の背面側のスペーサ部材９５を取り外してネジ６８ａでネジ止めすることができる。
【００７５】
図１１は本発明の第４の実施形態を例示する。この実施形態では、スペーサ部材９８は、前飾り体４４の貫通孔４４ａの箇所に連結部４４ｃを介して当該前飾り体４４に連結されており、当該連結部４４ｃを切断することで当該前飾り体４４から分離可能となる構成としている点が前述した第２の実施形態と異なっている。スペーサ部材９８は、ネジ６８ａの遊技盤１１への螺合位置に関わるものである点は、前述の第２の実施形態と同様である。
【００７６】
つまり、特別図柄始動手段１６は、スペーサ部材９８を有する状態（図１１（ａ），（ｂ）参照）と、当該スペーサ部材９８を有さない状態（図１１（ｃ），（ｄ）参照）との両状態において遊技盤１１にネジ止め可能となっている。
【００７７】
具体的には、前飾り体４４は、図１１に示すように、前面側に皿座繰りを有する貫通孔４４ａを中心として略円形に形成されたスペーサ部材９８と、このスペーサ部材９８の外周に沿って２つの略半円弧形状（略半円の弧の形状）の切欠部４４ｄと、両切欠き部の先端同士の間に形成された連結部４４ｃとを備えている。連結部４４ｃは、例えばその厚みが薄く、奥行きが浅い形状としており、切断し易い形状としている。
【００７８】
また、この前飾り体４４の背面側でスペーサ部材９８が位置する箇所には、当該スペーサ部材９８に当接する背面部材９９が装着されている。この背面部材９９は、前飾り体４４の位置決めピン３３が挿入される挿通孔９９ａを備えるとともに、貫通孔４４ａと同一軸心であり且つ当該貫通孔４４ａと同じ形状とする貫通孔４４ａが形成されている。
【００７９】
ここで、例えば特別図柄始動手段１６の確認のために、前飾り体４４のネジ６８ａを緩めて当該前飾り体４４を遊技盤１１から取り外した場合について説明する。なおここでは、特別図柄始動手段１６の確認後に前飾り体４４をネジ６８ａでネジ止めしようとしたが、遊技盤１１の下孔３０の螺合部３１が広がってしまい、しっかりと固定することができない、あるいは、当該下孔３０の螺合部３１がバカ穴になってしまい取り付け不能となっているとする。この場合には、前飾り体４４の連結部４４ｃを切断し、スペーサ部材９８を取り外し、前飾り体４４の背面部材９９の貫通孔４４ａにネジ６８ａを挿入し、このネジ６８ａにより前飾り体４４を遊技盤１１にネジ止めする。
【００８０】
具体的には、図１１（ｃ），（ｄ）に示すように、前飾り体４４の連結部４４ｃを人手又は工具（例えばニッパー）で切断し、スペーサ部材９８を前飾り体４４から取り外し、スペーサ部材９８が取り外された前飾り体４４を、その位置決めピン３３が遊技盤１１のピン穴３４に挿入させるようにして当該遊技盤１１の特別図柄始動手段１６箇所に当接させる。そして、前飾り体４４の背面部材９９の貫通孔４４ａにネジ６８ａを挿入し、そのネジ６８ａを遊技盤１１の下孔３０の非螺合部３２に螺入させて新たな螺合部３１に螺合させる。そうすることで、前飾り体４４を遊技盤１１にしっかりとネジ止めすることができる。
【００８１】
また、新たな前飾り体４４に交換する際に、遊技盤１１の螺合部３１が広がっているなどの場合には、新たな前飾り体４４の連結部４４ｃを切断してスペーサ部材９８を取り外し、前飾り体４４の背面部材９９の貫通孔４４ａにネジ６８ａを挿入し、新たな前飾り体４４を遊技盤１１にネジ止めすることができる。
【００８２】
この場合には、連結部４４ｃによって特別図柄始動手段１６の前飾り体４４に一体形成されたスペーサ部材９８を有する状態で前飾り体４４が遊技盤１１にネジ止めされており、例えば特別図柄始動手段１６の交換・修理の際に、前飾り体４４の連結部４４ｃを人手又は工具（例えばニッパー）によって切断することでスペーサ部材９８を取り外し、スペーサ部材９８を有さない状態で前飾り体４４を遊技盤１１にネジ止めすることで、そのネジ６８ａが遊技盤１１の下孔３０の非螺合部３２に新たな螺合部３１を形成して螺合するので、同一のネジ６８ａを再利用することができ、長さの異なる複数のネジを備える必要がない。また、特別図柄始動手段１６の前飾り体４４の連結部４４ｃの切断痕跡を見ることで、当該前飾り体４４又は特別図柄始動手段１６の交換等があったことが分かる。
【００８３】
以上、本発明の実施形態について詳述したが、本発明はこれらの実施形態に限定されるものではなく、本発明の趣旨を逸脱しない範囲で種々の変更が可能である。
【００８４】
前述した各実施形態では、被対象部品として遊技盤１１を、遊技部品として特別図柄始動手段１６を例に挙げて説明しているが、それ以外の部品等に適用してもよい。以下にその例示をする。
【００８５】
被対象部品としては、例えば、遊技盤１１、遊技盤１１の背後部品（図示省略の球集合枠、液晶装着枠、制御基板ユニット取付枠、カバーユニットなど）、ガラス扉４や前面板５（前面枠）、前枠３（内枠）などが挙げられる。
【００８６】
被対象部品が遊技盤１１である場合には、遊技部品としては、遊技盤１１の前側にネジ止めされる遊技盤用部品（センターケース１４、特別図柄始動手段１６や普通図柄始動手段１５（始動入賞手段）、大入賞手段１７、ガイドレール１２、普通図柄表示手段２７、特別図柄表示手段２８、普通保留個数表示手段２９など遊技盤１１に取り付けられる各種の装置、部品など）、遊技盤１１の背後部品（例えば、図示省略の球集合枠、液晶装着枠、制御基板ユニット取付枠など）、又は遊技盤１１の背側でネジ止める遊技ユニット部品（例えば、図示省略の主制御基板ユニット、副制御基板ユニットなどの各種の制御基板ユニット）などが挙げられる。
【００８７】
また、被対象部品が遊技盤１１の背後部品（図示省略の球集合枠、液晶装着枠、制御基板ユニット取付枠、カバーユニットなど）である場合には、遊技部品としては、遊技盤１１の背側でネジ止める遊技ユニット部品（例えば、図示省略の主制御基板ユニット、副制御基板ユニットなどの各種の制御基板ユニット、液晶ユニット、払出ユニット）などが挙げられる。
【００８８】
また、被対象部品がガラス扉４や前面板５（前面枠）である場合には、遊技部品としては、ガラス扉４や前面板５にネジ止めされる各種の部品等があり、例えば、貯留皿６、発射ハンドル７、装飾ランプ、スピーカ、操作ボタンなどが挙げられる
また、被対象部品が前枠３（内枠）である場合には、遊技部品としては、前枠３にネジ止めされる各種の部品等がある。
【００８９】
前述した各実施形態では、ネジ６８ａ〜６８ｄ等としてタッピンネジを使用しているが、木ネジなどを使用してもよい。また、皿ネジタイプのタッピンネジに限らず、なべネジ、丸皿ネジ、トラスネジなどのタイプを採用してもよい。
【００９０】
前述した各実施形態では、遊技盤１１は、例えば合板（ベニヤ板）で形成されたものを例に挙げて説明しているが、透明樹脂で成形された透明遊技盤を採用してもよい。
【００９１】
前述した各実施形態では、ネジ孔部として遊技盤１１（被対象部品）に予め貫通形成させておいた下孔３０を例に挙げて説明しているが、遊技盤１１の途中位置に止まる下穴としてもよいし、ネジ６８ａ等の螺入により同時に形成されるネジ孔であってもよい。これらの下穴又はネジ孔のネジ挿入方向側には、ネジ６８ｂ等の螺入によって新たな螺合部３１（雌ねじ部）が形成可能な非螺合部３２（余り部）を有しているものが挙げられる。
【００９２】
また本発明は、スロットマシン、アレンジボール機、雀球遊技機等の他の遊技機においても同様に実施することが可能である。
【００９３】
また、上述した複数の実施形態（変形例を含む）のうちいくつかを組み合わせた構成としてもよいし、ある実施形態の一部の手段等（手段、構成、装置、部品、機能、要素、処理ステップ、工程又はこれらの結合）を他の実施形態（いくつかの実施形態を組み合わせたものを含む）に組み合わせた構成としてもよいし、ある実施形態の一部の手段等と他の実施形態における一部の手段等とを組み合わせた構成としてもよいし、ある実施形態の一部の手段等を削除した構成としてもよい。
【符号の説明】
【００９４】
１１    遊技盤（被対象部品）
１６    特別図柄始動手段（遊技部品）
３０    下孔（ネジ孔部）
３１    螺合部
３２    非螺合部
３３    位置決めピン（位置決め部）
３４    ピン穴（位置決め部）
４４ａ  貫通孔
４４ｂ  座繰り部
４４ｃ  連結部
６８ａ  ネジ
６８ｃ  ネジ
９１    スペーサ部材
９２    凹部（被装着部）
９３    挿入孔
９５    スペーサ部材
９６    被配設部
９７    挿入孔（挿入部）
９８    スペーサ部材
９９    背面部材
【図１】
2014073247.tif 000003
【図２】
2014073247.tif 000004
【図３】
2014073247.tif 000005
【図４】
2014073247.tif 000006
【図５】
2014073247.tif 000007
【図６】
2014073247.tif 000008
【図７】
2014073247.tif 000009
【図８】
2014073247.tif 000010
【図９】
2014073247.tif 000011
【図１０】
2014073247.tif 000012
【図１１】
2014073247.tif 000013